(57)【要約】【課題】容易に外断熱材に固定できる外断熱材用タイルパネルを提供すること。【解決手段】モルタルを介して、建物の躯体外壁部に設けた外断熱材に張り付ける外断熱材用タイルパネルであって、タイルパネルの装飾面に目地溝を形成し、前記目地溝の底面に、タイルパネルの裏面に貫通する孔部を設け、前記孔部に挿通して前記外断熱材に螺挿した固定部材により、前記外断熱材に固定することを特徴とする、外断熱材用タイルパネル。【選択図】図１
0003177400.tif 000002
【実用新案登録請求の範囲】
【請求項１】
モルタル又は接着剤を介して、建物の躯体外壁部に設けた無機質系の独立気泡の外断熱材に張り付ける外断熱材用タイルパネルであって、
タイルパネルの装飾面に目地溝を形成し、
前記目地溝の底面に、タイルパネルの裏面に貫通する孔部を設け、
前記孔部に挿通して前記外断熱材に螺挿した固定部材により、前記外断熱材に固定することを特徴とする、
外断熱材用タイルパネル。
【請求項２】
請求項１に記載の外断熱用タイルパネルにおいて、前記固定部材はビスであり、前記ビスの径が前記目地溝の幅より小さいことを特徴とする、外断熱材用タイルパネル。
【請求項３】
請求項１又は請求項２に記載の外断熱用タイルパネルにおいて、前記目地溝をあり溝状に形成したことを特徴とする、外断熱材用タイルパネル。
【考案の詳細な説明】
【技術分野】
【０００１】
本考案は、外断熱構造の建物の外装仕上げに用いるタイルパネルに関するものである。
【背景技術】
【０００２】
建物の断熱構造の一つとして、建物の躯体（コンクリート造・木造等）外壁部に断熱材を取り付ける外断熱構造が知られている。
この外断熱構造において、タイルによる外装仕上げを行う際には、図４のように、躯体外壁部７０に取り付けた断熱材２０の表面にモルタル４０を塗布し、タイル８０を張り付けていた。
【考案の概要】
【考案が解決しようとする課題】
【０００３】
しかし、従来のタイルによる外装仕上げには、以下のような問題があった。
（１）モルタルを塗布してタイルを張り付けてあるため、モルタルの経年変化によって、タイルが剥離してしまう恐れがある。
（２）材質の異なる部材にモルタルを塗布してタイルを張り付けてあるため、接着強度が小さい。
（３）タイル張り付け時にタイルを叩きつける際の振動やタイルの重さによってモルタルがダレてタイルが下にずれることがある。
【０００４】
本考案の目的は、容易に外断熱材に固定できる外断熱材用タイルパネルを提供することを目的とする。
【課題を解決するための手段】
【０００５】
上記目的を達成するためになされた本願の第１考案は、モルタル又は接着剤を介して、建物の躯体外壁部に設けた無機質系の独立気泡の外断熱材に張り付ける外断熱材用タイルパネルであって、タイルパネルの装飾面に目地溝を形成し、前記目地溝の底面に、タイルパネルの裏面に貫通する孔部を設け、前記孔部に挿通して前記外断熱材に螺挿した固定部材により、前記外断熱材に固定することを特徴とする、外断熱材用タイルパネルを提供する。
本願の第２考案は、第１考案の外断熱用タイルパネルにおいて、前記固定部材はビスであり、前記ビスの径が前記目地溝の幅より小さいことを特徴とする、外断熱材用タイルパネルを提供する。
本願の第３考案は、第１考案又は第２考案の外断熱用タイルパネルにおいて、前記目地溝をあり溝状に形成したことを特徴とする、外断熱材用タイルパネルを提供する。
【考案の効果】
【０００６】
本考案は、上記した課題を解決するための手段により、次のような効果の少なくとも一つを得ることができる。
＜１＞固定部材によって外断熱材に固定するため、断熱材とタイルパネルとの接着面が剥離しても、タイルパネルが脱落することがない。
＜２＞固定部材によって外断熱材に固定するため、モルタルが固化する前に、ダレによってタイルパネルが下にずれることを防止できる。
＜３＞目地溝に固定部材を取り付けるため、目地詰めによって固定部材が隠れ、美観を損ねることがない。
＜４＞固定部材はねじであり、断熱材に容易に螺挿することができる。
【図面の簡単な説明】
【０００７】
【図１】本考案の外断熱材用タイルパネルの説明図
【図２】本考案の外断熱用タイルパネルの斜視図
【図３】外断熱用タイルパネルの使用状態の説明図
【図４】従来のタイルパネルの説明図
【考案を実施するための形態】
【０００８】
以下、図面を参照しながら本考案の実施の形態について説明する。
【実施例】
【０００９】
（１）外断熱材用タイルパネルの概要
本考案の外断熱用タイルパネル１０は、矩形やひし形の板体であり、図１に示すように、装飾面１１に目地溝１１１を形成し、目地溝１１１に孔部１１２を設けて構成する。
タイルパネル１０は、裏面１２を断熱材２０に塗布したモルタル４０や接着剤によって張り付けると共に、固定部材３０を介して、断熱材２０に固定する。
【００１０】
＜１＞外断熱材用タイルパネル
外断熱材用タイルパネル１０は、装飾面１１に目地溝１１１を設ける。また、裏面１２には裏足１２１を設ける。
目地溝１１１は、タイルパネル１０の装飾面１１の端部に、タイルパネル１０の全長に亘って連続して形成する。
目地溝１１１は、タイルパネル１０の大きさによって、図２（ａ）のように中央部に長さ方向に設けたり、図２（ｂ）のように平行に複数本を設けてもよい。
また、目地溝１１１は図３に示すように、あり溝状に形成してもよい。
目地溝１１１の底面には、固定部材３０を通すための孔部１１２を設ける。孔部１１１は、固定するタイルパネル１０の大きさに合わせて、１個又は複数個形成する。
【００１１】
＜２＞断熱材
断熱材２０は図３に示すように、断熱を行う建物の躯体外壁部７０に取り付けるものである。
断熱材２０は、無機質系の独立気泡の軽量発泡体であり、例えば炭酸カルシウム系発泡板が用いられる。
【００１２】
＜３＞固定部材
固定部材３０は、タイルパネル１０を固定するための部材であり、図３に示すように、取り付け時にモルタル４０を貫通し、断熱材２０まで螺挿する長さを有する、ステンレス製のビスからなる。
固定部材３０の頭部の径は目地溝１１１の幅より小さく、孔部１１２の径より大きいため、タイルパネル１０はモルタル４０を介して断熱材２０に密接して固定される。
【００１３】
（２）外断熱材用タイルパネルの施工方法
次に、外断熱材用タイルパネル１０の施工方法について説明する。
【００１４】
＜１＞タイルパネルの張り付け
まず、建物の躯体外壁部７０に取り付けた断熱材２０の表面にモルタル４０を塗布し、モルタル４０にタイルパネル１０の裏面１２を張り付ける。
裏面１２に設けた裏足１１２間にモルタル４０が充填されるため、タイルパネル１０とモルタル４０との接着力が増す。
モルタル４０ではなく、接着剤によってタイルパネルを張り付ける際には、タイルパネル１０の裏面１２に裏足１１２を設ける必要がない。
【００１５】
＜２＞固定部材による固定
次に、モルタル４０が硬化する前に、固定部材３０を孔部１１２に挿通し、断熱材２０に螺挿する。
断熱材２０は無機質系の軽量発泡体であるため多孔質である。このため、容易に固定部材３０を螺挿することができる。
また、固定部材３０をステンレス製にすることにより、錆による劣化を防止することができる。
【００１６】
断熱材２０は多孔質であるため、固定部材３０は手押しによって断熱材２０に挿入することもできるが、ドライバー等を用いて螺挿することにより、より強固にタイルパネル１０を固定することができる。
例えば４ｍｍのタッピングビスを炭酸カルシウム系発泡板の断熱材に３０ｍｍの深さで螺入した場合（モルタル不使用）には、引抜き強度は０．１９ｋＮとなる。
このように、モルタル４０による接着と合わせて、固定部材３０によってタイルパネル１０を強固に固定するため、モルタル４０による接着面が剥離しても、タイルパネル１０が脱落することがない。
また、モルタル４０硬化前に固定部材３０によってタイルパネル１０を固定するため、モルタル４０のダレによってタイルパネル１０がずれるのを防止できる。
【００１７】
複数枚のタイルパネル１０を、上記の工程を繰り返して断熱材２０のモルタル４０塗布面に張り付けていく。
隣接するタイルパネル間には、目地用の間隙５０を設けてもよい。
【００１８】
＜３＞目字詰め
モルタル４０硬化後、目地溝１１２およびタイルパネル１０間の目地用の間隙５０に目地詰めを行う。
目地材６０は、モルタルや合成樹脂からなり、目地溝１１２や目地間隙５０に塗り込み、硬化させる。
目地溝１１２をあり溝状に形成すると、目地材６０の剥落防止効果が増す。
固定部材３０の頭部の径は目地溝１１１の幅より小さいため、固定部材３０は目地溝１１１に入り込む。よって、固定部材３０は目地材６０によって覆い隠され、美観を損ねることがない。
また、目地材６０が硬化して固定部材３０を固定するため、固定部材３０が断熱材２０から抜けるのを防止する。
【符号の説明】
【００１９】
１０      外断熱材用タイルパネル
１１      装飾面
１１１    目地溝
１１２    孔部
１２      裏面
１２１    裏足
２０      断熱材
３０      固定部材
４０      モルタル
５０      目地間隙
６０      躯体外壁部
【図１】
0003177400.tif 000003
【図２】
0003177400.tif 000004
【図３】
0003177400.tif 000005
【図４】
0003177400.tif 000006